(57)【要約】【課題】  フロントカバーの後面にフロントブラケットを迅速容易に止着すること。【解決手段】  フロントカバー１Ａの天板部２ａの後端縁に複数の連結片１４が左右方向に所定間隔をおいて一体突設され、フロントカバー１Ａの後面に配置したフロントブラケット５が、フロントカバー１Ａより一回り小さい横長矩形状のブラケット本体５ａと、該ブラケット本体５ａの上端縁に一体突設されて各連結片１４の下面に沿う複数の上フラップ５ｂを有しており、各連結片１４のビス挿通孔を通って各上フラップ５ｂのねじ孔にビス２０をねじ込むことにより、フロントブラケット５がフロントカバー１Ａーに一体的に連結された電子機器において、各上フラップ５ｂから立ち上がって先端部を各連結片１４の上面に当接または接近するリブ２２がその各上フラップ５ｂに一体突設されている。【選択図】        図１
2010283078.tif 000002
【特許請求の範囲】
【請求項１】
機器本体を内蔵する筐体が、フロントカバー、トップカバー及びボトムシャーシとを有
し、前記フロントカバーの天板部の後端縁に複数の連結片が左右方向に所定間隔をおいて
一体突設され、フロントカバーの後面に配置したフロントブラケットが、フロントカバー
より一回り小さい横長矩形状のブラケット本体と、該ブラケット本体の上端縁に一体突設
されて前記各連結片の下面に沿う複数の上フラップとを有しており、各連結片のビス挿通
孔を通って各上フラップのねじ孔にビスをねじ込むことにより、そのフロントブラケット
がフロントカバーに一体的に連結された電子機器において、前記各上フラップから立ち上
がって先端部を各連結片の上面に当接または接近するリブがその各上フラップに一体突設
されていることを特徴とする電子機器。
【請求項２】
前記リブが、各上フラップの両側縁から起立する起立部と、該起立部の上端から各上フ
ラップの中央に向けて水平に折れ曲がる先端部とにより、略Ｌ字状に形成されて左右一対
設けられ、該両リブの起立部間の間隔が各連結片の横幅と同一またはわずかに大きく設定
され、その両リブの先端部と上フラップとの間の間隔が各連結片の厚さと同一またはわず
かに大きく設定されており、各連結片を両リブ間に差し込むようにしたことを特徴とする
請求項１に記載の電子機器。
【発明の詳細な説明】
【技術分野】
【０００１】
本発明は、ディスク装置（例えばＢｌｕ−ｒａｙ  Ｄｉｓｃ式のレコーダまたはプレー
ヤ）などの電子機器に関し、特に、フロントカバーの後面にフロントブラケットを迅速容
易に止着することができるようにしたものである。
【背景技術】
【０００２】
従来、電子機器の一例として図７〜図１１に示すものがあり、これはディスク装置（例
えばＢｌｕ−ｒａｙ  Ｄｉｓｃ式のレコーダまたはプレーヤ）であって、図７は同斜視図
、図８は同フロントカバー付近の分解斜視図、図９は同フロントカバー付近の縦断面図、
図１０は同要部の拡大斜視図、図１１は同要部の縦断面図である。
【０００３】
図７〜図９に示すように、ディスク装置本体（機器本体）を内蔵する筐体１が、フロン
トカバー１Ａ、トップカバー１Ｂ及びボトムシャーシ１Ｃからなり、前記フロントカバー
１Ａが３分割されて中央本体２と左右一対の両翼部３，４とにより形成され、フロントカ
バー１Ａの後面に電磁シールド機能を備えた補強用アングル部材であるフロントブラケッ
ト５が配置されている。
【０００４】
図７〜図１１に示すように、前記中央本体２は、例えばアルミなどの金属や合成樹脂材
からなる縦断面略コ字状の外側カバー２Ａと、該外側カバー２Ａ内に組み込んだ合成樹脂
材からなるインナーパネル２Ｂとからなり、外側カバー２Ａの前面に、ディスク挿入口６
、ＳＤカード挿入口７及び各種操作釦８が設けられている。なお、図７中、９は電源釦で
ある。
【０００５】
図９に示すように、外側カバー２Ａの天板部２ａの下面後端縁にＬ字枠１０を一体突設
することにより、該Ｌ字枠１０と天板部２ａとの間に凹溝１１が形成されており、トップ
カバー１Ｂの天板部前端縁から前方に延びる突起片１２が凹溝１１に差し込まれている。
【０００６】
図７〜図１０に示すように、Ｌ字枠１０の後端縁に複数の連結片１４が左右方向に所定
間隔をおいて一体突設され、該各連結片１４に貫設した連結孔１５（図１０参照）にイン
ナーパネル２Ｂの上面に一体突設した連結突起部１６を嵌入させると共に、該インナーパ
ネル２Ｂの下面を外側カバー２Ａの底板部２ｂに止着することにより、その外側カバー２
Ａにインナーパネル２Ｂが一体的に連結されている。
【０００７】
図７〜図１１に示すように、前記フロントブラケット５は、鉄板をプレス成形したもの
であって、フロントカバー１Ａより一回り小さい横長矩形状のブラケット本体５ａと、該
ブラケット本体５ａの上端縁に一体突設されて前記各連結片１４の下面に沿って略Ｌ字状
に折れ曲がる複数の上フラップ５ｂと、そのブラケット本体５ａの下端縁両側に一体突設
した左右一対の下ラップ５ｃとを有し、該各下ラップ５ｃの係止片１７をインナーパネル
２Ｂに係止すると共に、各連結片１４のビス挿通孔１８を通って各上フラップ５ｂのねじ
孔１９にビス２０をねじ込むことにより、そのフロントブラケット５がフロントカバー１
Ａに一体的に連結されている。なお、関連する技術として特許文献１に記載したものがあ
る。
【先行技術文献】
【特許文献】
【０００８】
【特許文献１】実用新案登録第３１２８４０７号公報
【発明の概要】
【発明が解決しようとする課題】
【０００９】
上記従来の構成では、図１０及び図１１に示すように、各連結片１４のビス挿通孔１８
を通って各上フラップ５ｂのねじ孔１９にビス２０をねじ込む際に、該ビス２０の先端が
ねじ孔１９の上端内周縁に当たって、上フラップ５ｂが図１１の仮想線位置から下方に折
り曲げられることがあり（図１１実線参照）、これでは、ビス２０のねじ込み作業を円滑
に行なうことができない。
【００１０】
そこで、一方の手で上フラップ５ｂを連結片１４の下面に押し付け（図１１仮想線参照
）、他方の手でドライバーを操作してビス２０をねじ孔１９にねじ込むことが行なわれて
いるが、これでは、ねじ込み作業が面倒であり、フロントカバー１Ａの後面にフロントブ
ラケット５を取り付けるのに手間どることになる。
【００１１】
本発明は、上記従来の欠点に鑑み、フロントカバーの後面にフロントブラケットを迅速
容易に止着することができるようにした電子機器を提供することを目的としている。
【課題を解決するための手段】
【００１２】
上記目的を達成するため、請求項１に記載の発明は、機器本体を内蔵する筐体が、フロ
ントカバー、トップカバー及びボトムシャーシとを有し、前記フロントカバーの天板部の
後端縁に複数の連結片が左右方向に所定間隔をおいて一体突設され、フロントカバーの後
面に配置したフロントブラケットが、フロントカバーより一回り小さい横長矩形状のブラ
ケット本体と、該ブラケット本体の上端縁に一体突設されて前記各連結片の下面に沿う複
数の上フラップとを有しており、各連結片のビス挿通孔を通って各上フラップのねじ孔に
ビスをねじ込むことにより、そのフロントブラケットがフロントカバーに一体的に連結さ
れた電子機器において、前記各上フラップから立ち上がって先端部を各連結片の上面に当
接または接近するリブがその各上フラップに一体突設されていることを特徴としている。
【００１３】
請求項２に記載の発明は、請求項１に記載の発明において、前記リブが、各上フラップ
の両側縁から起立する起立部と、該起立部の上端から各上フラップの中央に向けて水平に
折れ曲がる先端部とにより、略Ｌ字状に形成されて左右一対設けられ、該両リブの起立部
間の間隔が各連結片の横幅と同一またはわずかに大きく設定され、その両リブの先端部と
上フラップとの間の間隔が各連結片の厚さと同一またはわずかに大きく設定されており、
各連結片を両リブ間に差し込むようにしたことを特徴としている。
【発明の効果】
【００１４】
請求項１に記載の発明によれば、各連結片のビス挿通孔を通って各上フラップのねじ孔
にビスをねじ込む際に、該ビスの先端がねじ孔の上端内周縁に当たって、各上フラップが
下向きに押されても、該上フラップから立ち上がったリブの先端部が各連結片の上面に当
接されるので、その上フラップが従来のように下方に折り曲げられることがなく、ビスの
ねじ込み作業を能率良く行って、フロントカバーの後面にフロントブラケットを迅速容易
に止着することができる。
【００１５】
また、リブが上フラップに一体突設されており、部品点数が増加していないから、製作
費が高くならず、経済的である。
【００１６】
請求項２に記載の発明によれば、各上フラップの上方に向かって略Ｌ字状に折り曲げら
れた両リブ間に各連結片を差し込むことにより、該各連結片に対して各上フラップが所定
通りに位置決めされ、その各連結片のビス挿通孔に対しても各上フラップのねじ孔を同心
状に位置決めすることができる。
【図面の簡単な説明】
【００１７】
【図１】本発明の実施の一形態である電子機器を示す斜視図である。
【図２】同フロントカバー付近の分解斜視図である。
【図３】同フロントカバー付近の要部の平面図である。
【図４】同要部の拡大斜視図である。
【図５】同要部の縦断面図である。
【図６】図５のＡ−Ａ矢視図である。
【図７】従来例を示す斜視図である。
【図８】同フロントカバー付近の分解斜視図である。
【図９】同フロントカバー付近の縦断面図である。
【図１０】同要部の拡大斜視図である。
【図１１】同要部の縦断面図である。
【発明を実施するための形態】
【００１８】
図１〜図６は本発明の実施の一形態である電子機器を示すものであって、これはディス
ク装置（例えばＢｌｕ−ｒａｙ  Ｄｉｓｃ式のレコーダまたはプレーヤ）であり、各上フ
ラップ５ｂから立ち上がって先端部を各連結片１４の上面に当接または接近するリブ２２
がその各上フラップ５ｂに一体突設されている。上記以外の構成は図７〜図１１に示す構
成とほぼ同じであるから、同一部分に同一符号を付してその説明を省略する。
【００１９】
図４〜図６に示すように、前記リブ２２は、各上フラップ５ｂの両側縁から起立する起
立部２２ａと、該起立部２２ａの上端から各上フラップ５ｂの中央に向けて水平に折れ曲
がる先端部２２ｂとにより、略Ｌ字状に形成されて左右一対設けられ、図６に示すように
、両リブ２２の起立部２２ａ間の間隔ｋが各連結片１４の横幅ｈと同一またはわずかに大
きく設定され（ｋ≧ｈ）、その両リブ２２の先端部２２ｂと上フラップ５ｂとの間の間隔
ｄが各連結片１４の厚さｔと同一またはわずかに大きく設定されている（ｄ≧ｔ）。
【００２０】
フロントブラケット５の取付手順を説明すると、図２に示すように、フロントブラケッ
ト５をフロントカバー１Ａの後面に対向させて接近させることにより、そのフロントブラ
ケット５の各下ラップ５ｃをインナーパネル２Ｂに係止し（図９参照）、各連結片１４を
各上フラップ５ｂ上の両リブ２２間に差し込み、該各連結片１４のビス挿通孔１８を通っ
て各上フラップ５ｂのねじ孔１９にビス２０をねじ込むことにより（図４〜図６参照）、
そのフロントブラケット５をフロントカバー１Ａに一体的に連結する。
【００２１】
上記構成によれば、両リブ２２間に各連結片１４を差し込むことにより、該各連結片１
４に対して各上フラップ５ｂが所定通りに位置決めされ、その各連結片１４のビス挿通孔
１８に対しても各上フラップ５ｂのねじ孔１９を同心状に位置決めすることができる。
【００２２】
また、各連結片１４のビス挿通孔１８を通って各上フラップ５ｂのねじ孔１９にビス２
０をねじ込む際に、該ビス２０の先端がねじ孔１９の上端内周縁に当たって、各上フラッ
プ５ｂが下向きに押されても、該両リブ２２の先端部２２ｂが各連結片１４の上面に当接
されるので、その上フラップ５ｂが従来のように下方に折り曲げられることがなく（図１
１参照）、ビス２０のねじ込み作業を能率良く行って、フロントカバー１Ａの後面にフロ
ントブラケット５を迅速容易に止着することができる。
【００２３】
更に、リブ２２が上フラップ５ｂに一体突設されており、部品点数が増加していないか
ら、製作費が高くならず、経済的である。
【産業上の利用可能性】
【００２４】
上記実施の形態では、ディスク装置を例にあげて説明したが、これに限定されるわけで
なく、フロントカバーの後面にフロントブラケットを配置した各種の電子機器に適用され
る。
【符号の説明】
【００２５】
１        筐体
１Ａ      筐体のフロントカバー
１Ｂ      筐体のトップカバー
１Ｃ      筐体のボトムシャーシ
２ａ      天板部
５        フロントブラケット
５ａ      フロントブラケットのブラケット本体
５ｂ      フロントブラケットの上フラップ
１４      連結片
１８      ビス挿通孔
１９      ねじ孔
２０      ビス
２２      リブ
２２ａ    リブの起立部
２２ｂ    リブの先端部
ｋ        リブの起立部間の間隔
ｈ        連結片の横幅
ｄ        リブの先端部と上フラップとの間の間隔
ｔ        連結片の厚さ
【図１】
2010283078.tif 000003
【図２】
2010283078.tif 000004
【図３】
2010283078.tif 000005
【図４】
2010283078.tif 000006
【図５】
2010283078.tif 000007
【図６】
2010283078.tif 000008
【図７】
2010283078.tif 000009
【図８】
2010283078.tif 000010
【図９】
2010283078.tif 000011
【図１０】
2010283078.tif 000012
【図１１】
2010283078.tif 000013